(57)【要約】【課題】  コイン精米機における糠袋は、精米機を利用する精米利用者の目に届かない場所（精米操作室の奥側に仕切りられた機械室）に設置されていて、精米機を管理する管理者のみが監視可能の形態にある。管理者が機械室に入って糠袋の状態を確認しなくても、操作室に居ながら糠袋の状態を把握できることを課題とする。【解決手段】  精米操作室１に設ける操作盤２に液晶表示のモータ表示器３を設けて、精米運転の進行に応じた糠袋４の糠収容量を表示する。【選択図】  図６
2011218264.tif 000002
【特許請求の範囲】
【請求項１】
精米操作室（１）に設ける操作盤（２）に液晶表示のモータ表示器（３）を設けて、精米運転の進行に応じた糠袋（４）の糠収容量を表示することを特徴とするコイン精米機の糠袋管理装置。
【請求項２】
前記糠袋（４）の糠収容量は、コインメック（５）に対するコインの投入料金に応じて換算表示することを特徴とする請求項１に記載のコイン精米機の糠袋管理装置。
【請求項３】
前記糠袋（４）を空の袋（４）に交換したとき、この糠収容量を表示するモニタ表示器（３）の表示画面（６）を押すことによって空表示とすることを特徴とする請求項１、又は２に記載のコイン精米機の糠袋管理装置。
【発明の詳細な説明】
【技術分野】
【０００１】
この発明は、コイン精米機の精米処理によって発生する糠を袋詰処理するときの糠袋の袋詰状態を管理する糠袋管理装置に関する。
【背景技術】
【０００２】
糠袋をスプリング力で吊下げの糠袋保持器に保持させて、このスプリング抗にして下降させることにより糠袋の重量を計測して、この袋詰状態を検出する技術（例えば、特許文献１参照）が知られている。
【先行技術文献】
【特許文献】
【０００３】
【特許文献１】特開平１１ー１０４５０５号公報（第１頁、図１）。
【発明の概要】
【発明が解決しようとする課題】
【０００４】
コイン精米機における糠袋は、精米機を利用する精米利用者の目に届かない場所（精米操作室の奥側に仕切りられた機械室）に設置されていて、精米機を管理する管理者のみが監視可能の形態にある。
【０００５】
本発明は、管理者が、操作室に居ても糠袋の状態を把握できることを課題とする。
【課題を解決するための手段】
【０００６】
請求項１に記載の発明は、精米操作室１に設ける操作盤２に液晶表示のモータ表示器３を設けて、精米運転の進行に応じた糠袋４の糠収容量を表示することを特徴とするコイン精米機の糠袋管理装置の構成とする。
【０００７】
コイン精米機は、精米を受けるための玄米袋を操作室１に持込んで、玄米供給ホッパに供給して、操作盤２のコインメックに所定量の精米料金を投入することによって、精米装置が所定時間にわたり駆動されて精米作用が行われる。そして、この精米作用によって生じた糠がこの機械室内に設置される糠袋４に搬送収容される。このような精米作用によって収容される糠袋４の糠量は、ロードセル等の重量センサによる直接の計量検出により、又は、精米装置の運転時間の累積時間や、前記操作盤２のコインメックに投入する精米料金の累積等により糠発生量を換算しながら間接的に袋詰量を計測することによって、精米コントローラのメモリーに自動的に記憶させる。ここで、メンテナンス等の必要に応じて管理者が前記操作盤２のモニタ操作によって、モニタ表示器３の表示画面６に糠袋４の現在の糠収容量を液晶表示させることができて、管理者が操作室１において糠袋４の状態を認識、乃至予測することができる。
【０００８】
請求項２に記載の発明は、前記糠袋４の糠収容量は、コインメック５に対するコインの投入料金に応じて換算表示するように構成する。
前記のように精米料金のコインメック５への投入によって、精米作用が行われると共に、この精米により発生する糠が糠袋４に収容される。従って、この精米料金の累積額に比例して発生する糠量が糠袋４に収容されているため、この精米料金量（額）をコインメック５を経るモニタ表示器３の表示が面６に液晶表示させることによって、糠袋４の糠収容量や、収容状況を知ることができる。
【０００９】
請求項３に記載の発明は、前記糠袋４を空の袋４に交換したとき、この糠収容量を表示するモニタ表示器３の表示画面６を押すことによって空表示とする。
前記のように、精米装置の運転によって発生した糠は、機械室の糠袋４に収容されるため、操作盤２の操作によってこの糠袋４内の糠収容状態をモニタ表示器３の表示画面６に液晶表示させて知ることができるが、この検出操作の後に、糠袋４を空の袋４に取替えたときは、この表示が面６の液晶表示部分を手で押すことによって、この袋４が現在空袋の状態にあることを表示するものである。
【発明の効果】
【００１０】
請求項１に記載の発明は、機械室内に設置する糠袋４の糠収容量を、精米操作室１の操作盤２のモニタ表示器３に液晶表示して簡単な操作で、明確に確認することができ、糠袋４交換の見通しを行い易くする。
【００１１】
請求項２に記載の発明は、前記のような糠袋４の糠収容量状況をコインメック５の精米料金額によって換算して知ることができるため、糠重量を直接計測する糠重量センサ等煩雑な構成機構を設ける必要がなく、簡単で安価な構成とすることができる。
【００１２】
請求項３に記載の発明は、前記糠袋４を空の袋４と交換したときは、この糠袋４の糠収容状態を液晶表示するモニタ表示器３の表示画面６を押すことによって、初期化して空表示となるため、構成、及び操作共に簡単、容易である。
【図面の簡単な説明】
【００１３】
【図１】コイン精米機の精米操作室の正面図。
【図２】その平面配置図。
【図３】その精米工程を示すブロック側面図。
【図４】その精米作用を示すフローチャート。
【図５】表示画面の表示例を示す正面図。
【図６】表示画面の表示例を示す正面図。
【図７】表示画面の表示例を示す正面図。
【図８】表示画面の表示例を示す正面図。
【発明を実施するための形態】
【００１４】
図面に基づいて、コイン精米機は、小形のハウス７内に仕切壁８を形成して、前側の操作室１と奥側の機械室９とを仕切構成する。この操作室１側には、ドア１０を開閉して精米利用者が出入りでき、機械室９には、玄米供給ホッパ１１や、石抜装置１２、精米装置１３、白米取出ホッパ１４、糠処理装置１５、及びこれらの間を搬送する搬送装置である搬送ラセン１６、昇降機１７、１８、及びサイクロン１９、ラセン２０等を配置して、精米処理する形態としている。この精米装置１３で精米された白米は、仕切壁８際に配置の白米ホッパ２１に取出して、白米袋２２で収容する構成とし、この精米行程で発生する糠は、サイクロン１９の吸引で搬送して、ラセン２０で搬送しながら、この排出口２３、２４の下側にのぞませる糠袋４に供給して充填させる糠処理装置１５の形態としている。
【００１５】
前記玄米供給ホッパ１１の位置する仕切壁８部には玄米投入口２５を開口し、この玄米投入口２５の下側に玄米袋を支持する支持台２６を設ける。又、玄米供給ホッパ１１の底部には、モータ２７によって駆動される搬送ラセン（玄米繰出用のロータリバルブ）１６を有し、このホッパ１１に収容する玄米の有無を検出する玄米センサ２８を設けている。石抜装置１２は、揺動選別盤を有して、前記昇降機１７から搬送される玄米を受けて揺動選別して砂礫や、わら屑等を選別除去する。この石抜された玄米を昇降機１８によって精米装置１３へ供給して精米する。
【００１６】
この精米装置１３で精米された白米は、白米ホッパ２１へ取出されて、操作室１から挿填される白米袋２２に取出収容される。又、この精米装置１３で除糠された糠は、サイクロン１９によって搬送されて、この精米装置１３の奥側の機械室９内に配置のラセン２０を搬送されて、この排出口２３、２４から各糠袋４に排出充填される。ラセン２０を搬送される糠は手前の排出口２３から排出されて、この排出口２３にのぞむ糠袋４へ供給される。この排出口２３の糠袋４が一杯になると、ラセン２０によって搬送される糠は、次の排出口２４にのぞむ糠袋４にわたり順次排出供給される。
【００１７】
前記仕切壁８の左右幅方向の中央部に操作盤２を設け、この操作盤２の上部には、操作手順を説明する説明パネル２９を配し、この下段部に液晶表示のタッチパネルからなるモニタ表示器３の表示画面６を配し、更にこの下段部に精米駆動するための所定量のコインを投入するコインメック５や、コイン返却口３０等を設ける。この精米運転の操作は、前記コインメック５に所定のコインを供給することによって、表示画面の６の操作が可能となるため、この表示画面６の手による押操作によって精米制御が駆動される。
【００１８】
ここにおいて、このコイン精米機の糠袋管理装置は、精米操作室１に設ける操作盤２に液晶表示のモータ表示器３を設けて、精米運転の進行に応じた糠袋４の糠収容量を表示するように構成する。
【００１９】
利用者は、精米を受けるための玄米袋を操作室１に持込んで、玄米供給ホッパに供給して、操作盤２のコインメックに所定量の精米料金を投入することによって、精米装置が所定時間にわたり駆動されて精米作用が行われる。そして、この精米作用によって生じた糠がこの機械室内に設置される糠袋４に搬送収容される。このような精米作用によって収容される糠袋４の糠量は、ロードセル等の重量センサによる直接の計量検出により、又は、精米装置の運転時間の累積時間や、前記操作盤２のコインメックに投入する精米料金の累積等により糠発生量を換算しながら間接的に袋詰量を計測することによって、精米コントローラのメモリーに自動的に記憶させる。ここで、メンテナンス等の必要に応じて管理者が前記操作盤２のモニタ操作によって、モニタ表示器３の表示画面６に糠袋４の現在の糠収容量を液晶表示させることができて、管理者が操作室１において糠袋４の状態を認識、乃至予測することができる。
【００２０】
又、前記糠袋４の糠収容量は、コインメック５に対するコインの投入料金に応じて換算表示するように構成する。
前記のように精米料金のコインメック５への投入によって、精米作用が行われると共に、この精米により発生する糠が糠袋４に収容される。従って、この精米料金の累積額に比例して発生する糠量が糠袋４に収容されているため、この精米料金量（額）をコインメック５を経るモニタ表示器３の表示が面６に液晶表示させることによって、糠袋４の糠収容量や、収容状況を知ることができる。
【００２１】
更には、前記糠袋４を空の袋４に交換したとき、この糠収容量を表示するモニタ表示器３の表示画面６を押すことによって空表示とする。
前記のように、精米装置の運転によって発生した糠は、機械室の糠袋４に収容されるため、操作盤２の操作によってこの糠袋４内の糠収容状態をモニタ表示器３の表示画面６に液晶表示させて知ることができるが、この検出操作の後に、糠袋４を空の袋４に取替えたときは、この表示が面６の液晶表示部分を手で押すことによって、この袋４が現在空袋の状態にあることを表示するものである。
【００２２】
このコイン精米機は、図４のフローチャートの「スタートモード」のように、前記コインメック５にコインを投入し、玄米供給ホッパ１１に所定量の玄米を供給して、モニタ表示器３の表示画面６に液晶表示される精白度を選択して押すことによって、精米機各部が自動的に駆動制御されて精米作用が行われる。
【００２３】
前記表示画面６は、コインメック５に所定料金のコインを投入することによって精白度の選択画面Ａが表示されるため、この表示指示に従って、例えば、「無洗米」Ａ１の選択個所を押すと、「精米スタート」Ａ２の操作位置が表示される。従って、この「精米スタート」Ａ２の位置を押すことによって、精米装置１３や、石抜装置１２、及び各搬送経路の搬送機構等が駆動されて、玄米供給ホッパ１１からの供給玄米が搬送されて、精米装置１３による精米作用が行われる。このとき、この精米スタート後に精白度を変更するときは、「精白度変更」Ａ３を押して訂正操作することができる。そして、精米作用が行われると、「精米中」Ａ４の表示が出る。
【００２４】
前記モニタ表示器３は、表示画面６に表示される「スタートモード」を、図６のような「メンテナンスモード」に切換えて液晶表示させることができる。この切換操作は、例えば、「選択表示」Ａ５位置を押して切換えることができる。この操作によって、「メンテナンス画面」Ａ６が表示されて、「積算時間情報」Ｂ、「糠袋貯留情報」Ｃ、及び「コインメック情報」Ｄ等が表示されるから、このうちのいずれか一つの、例えば、「糠袋貯留情報」Ｃを押せば、糠袋毎の貯留状況を表示するグラフ、乃至積重チャートＣ１、Ｃ２が液晶表示される。精米機を管理する管理者は、この表示画面６の積重チャートＣ１、Ｃ２を見て、袋替操作の有、無や、時期等を判断することができる。
【００２５】
前記糠袋４の糠量を状況を表わすための精米時間を積算する「積算時間情報」Ｂや、「糠袋貯留情報」Ｃ、又は投入コイン積算料金を計測する「コインメック情報」Ｄ等は、同時に入力するように構成するもよいが、いずれか単一情報のみ入力する形態とするもよい。
【００２６】
前記モニタ表示器３において、糠袋４の収容量を前記コインメック情報Ｃに基づいて積重チャートＣ１、Ｃ２として液晶表示する形態においては、この表示画面６に、例えば、１０ｋｇ毎の積重形態にグラフィック表示して、規定満杯量の３／４の貯留量に達した時点で、管理者に警報を表示するように構成することができる。又、全ての糠袋４が満杯になると、利用者に警報を表示する構成とすることもできる。更には、メンテナンスによって糠袋４を空袋に交換した後に、液晶表示の「メンテナンス画面」Ａ６を長押し（例えば、１ｓｅｃ）することによって、前記積重チャートＣ１、Ｃ２の表示部を空表示状態とするように構成することができる。
【００２７】
次に、主として図７、図８に基づいて、モニタ表示器３を有するコイン精米機において、本機の故障中には、表示画面６にＱＲコード３１を表示して、携帯電話器３２でこのＱＲコード３１を読み取れば、管理者情報、又は、最寄り位置のコイン精米機設置付近等の「地図」Ａ７、その他の情報等を紹介できる形態としている。利用者の対応便宜サービスを図ることができる。
【符号の説明】
【００２８】
１    操作室
２    操作盤
３    モニタ表示器
４    糠袋
５    コインメック
６    表示画面
【図１】
2011218264.tif 000003
【図２】
2011218264.tif 000004
【図３】
2011218264.tif 000005
【図４】
2011218264.tif 000006
【図５】
2011218264.tif 000007
【図６】
2011218264.tif 000008
【図７】
2011218264.tif 000009
【図８】
2011218264.tif 000010